(57)【要約】【課題】  使用者が画像を見ながら容易に通話ができ、かつ使用者の好み・目的等に応じて自由な画像を取得し、当該画像を通信相手に送信することができるという自由度が高く、使い勝手のよい携帯型テレビ電話等の通信システムを提供する。【解決手段】  本発明にかかる通信システムは、画像データおよび音声データを送受信可能な通信システムにおいて、外部とのデータ通信手段である携帯型電話機１００と、画像データの取得手段である撮像装置３００と、取得した画像データの表示手段である画像表示装置２００とが各々分離別体として構成されている。また、画像表示装置２００が使用者の身体の一部に装着するための装着手段（リストバンド、チェーン）を有している。撮像装置３００を用いて取得した画像データが前記携帯型電話機１００を介して通信相手に送信されるように通信接続されている。【選択図】  図１
2005341165.tif 000002
【特許請求の範囲】
【請求項１】
通信ネットワークを介して外部の通信装置に対して画像データおよび音声データを送受信可能な通信システムにおいて、
前記外部の通信装置との間でデータ通信を行なう携帯型電話機と、撮影によって画像データを取得する撮像装置と、画像データの表示を行なう画像表示装置とを備え、
前記携帯型電話機、前記撮像装置、および前記画像表示装置が各々分離別体として構成され、
前記画像表示装置が使用者の身体の一部に装着するための装着手段を有しており、
前記撮像装置を用いて取得した画像データが、前記携帯型電話機を介して前記外部の通信装置に送信されるように、前記携帯型電話機、前記撮像装置、および前記画像表示装置とが互いに通信接続されていることを特徴とする通信システム。
【請求項２】
上記装着手段が、腕に装着可能な手段であることを特徴とする請求項１に記載の通信システム。
【請求項３】
さらに、上記携帯型電話機を介して外部の通信装置より取得した画像データが、上記画像表示装置上に表示されるように、前記携帯型電話機、前記撮像装置、および前記画像表示装置とが通信接続されていることを特徴とする請求項１または２に記載の通信システム。
【請求項４】
さらに、上記撮像装置を用いて取得した画像データが、上記画像表示装置上に表示されるように、前記携帯型電話機、前記撮像装置、および前記画像表示装置とが通信接続されていることを特徴とする請求項１ないし３のいずれか１項に記載の通信システム。
【請求項５】
上記画像表示装置に対して、複数の表示モードの中から少なくとも１つの表示モードで表示するように制御を行なう表示モード切替制御部をさらに備えることを特徴とする請求項１ないし４のいずれか１項に記載の通信システム。
【請求項６】
上記表示モードが、
携帯型電話機を介して外部の通信装置より取得した画像データである外部画像データを表示する外部画像データ表示モード、
および上記撮像装置を用いて取得した画像データであるカメラ画像データを表示するカメラ画像データ表示モードであることを特徴とする請求項５に記載の通信システム。
【請求項７】
さらに、上記外部画像データおよび上記カメラ画像データを同時に表示する２画面表示モードを有することを特徴とする請求項６に記載の通信システム。
【請求項８】
上記画像表示装置における表示画面が、当該画像表示装置の表示部の表示面に対して平行な方向に回転可能であることを特徴とする請求項１ないし７のいずれか１項に記載の通信システム。
【請求項９】
上記撮像装置が、切り替え可能な複数の撮影モードを有することを特徴とする請求項１ないし８のいずれか１項に記載の通信システム。
【請求項１０】
上記撮影モードが、通常撮影モード、および接写モードとであることを特徴とする請求項９に記載の通信システム。
【請求項１１】
上記撮像装置が、発光部を有することを特徴とする請求項１ないし１０のいずれか１項に記載の通信システム。
【請求項１２】
さらに上記撮像装置が、撮像環境の照度を測定する照度検知部、および発光部の照度を制御する照度制御部を有することを特徴とする請求項１１に記載の通信システム。
【請求項１３】
上記発光部が、切り替え可能な複数の発光モードを有することを特徴とする請求項１１または１２に記載の通信システム。
【請求項１４】
上記発光モードが、発光部を常時発光することができる常時発光モード、および撮影時の照度に応じて発光部が自動的に発光する自動発光モードであることを特徴とする請求項１３に記載の通信システム。
【請求項１５】
請求項１ないし１４のいずれか１項に記載の通信システムが備える携帯型電話機。
【請求項１６】
請求項１ないし１４のいずれか１項に記載の通信システムが備える画像表示装置。
【請求項１７】
請求項１ないし１４のいずれか１項に記載の通信システムが備える撮像装置。
【発明の詳細な説明】
【技術分野】
【０００１】
本発明は、画像データおよび音声データの送受信を行なう通信システムであって、テレビ電話、またはテレビ会議システムとして利用可能な通信システムに関するものである。より具体的には、通信システムにおいて、携帯型電話機，画像表示装置，撮像装置の各々を分離別体とすることで、当該システムの使用者（以下単に使用者と称する）が画像を見ながら容易に通話ができ、かつ使用者の好み・目的等に応じて自由な画像を取得し、当該画像を通信相手に送信することができるという、自由度が高く使い勝手のよい携帯型テレビ電話等の可搬型の通信システムに関するものである。
【背景技術】
【０００２】
通信者相互間で音声データと画像データの通信が同時に行なうことができる、いわゆるテレビ電話機（システム）としては、固定式電話の前面あるいは、上部にカメラを配置したテレビ電話機が知られている。しかし、上記テレビ電話は、固定式であり容易に持ち運ぶことができない。
【０００３】
一方、可搬性を有する携帯型テレビ電話機としては、例えば図１１に示すような装置が知られている。図１１は、従来公知の携帯型テレビ電話を示す概略図である。図１１において、１１０１は無線電波の送受信をするアンテナ、１１０２は電話番号等を入力するキー操作部、１１０３は音声を入力するマイク、１１０４はキー操作部１１０３より入力された電話番号等あるいは相手側から送られてくる文字，画像情報を映す表示部であるＬＣＤ、１１０５は装置本体側の使用者の画像情報を相手側に送るための撮像部であるＣＣＤカメラ、１１０６はスピーカーホンとして受話音を出力するスピーカーである。
【０００４】
図１１の携帯型テレビ電話は、確かにテレビ電話として使用することはできる。しかしながら、装置本体と撮像部１１０５および表示部１１０４が一体に構成されているため、装置本体を顔の前に持ってきて通話しなければならない。従って、テレビ電話として使用するためには、本体に内蔵されたマイク１１０３から使用者の音声を入力し、スピーカー１１０６から相手側の音声を出力する、いわゆるハンズフリー機能によって行なう必要がある。なお、かかるハンズフリー機能の実現は容易であるが、実際の使用環境を考えた場合、周囲の雑音が多い屋外等では、使用者の声が内蔵マイク１１０３で充分に拾えないこと、スピーカー１１０６からの相手側の声が聞き取りにくいなどの障害が発生すること、スピーカー１１０６からの音声が第三者に聞かれたり、表示部１１０４に映った画像が第三者に見られる可能性が高い等のプライバシーが損なわれること等の問題がある。
【０００５】
尚、ハンズフリー機能を用いずに通常の電話機のようにハンドセットを耳元、口元に近づけた場合、表示部１１０４が顔の側部に近接した状態となり、テレビ電話としては使用できない。一方、装置本体にイヤホンとマイクを接続することにより、ハンズフリー機能を用いることによる障害をなくすことは可能であるが、テレビ電話のためにわざわざイヤホンを耳につけるか、あるいは付け放しにしておかなければならず、使い勝手が非常に悪いという問題があった。
【０００６】
そこで上記事情に鑑みて、特許文献１においては、電話機能を備える通信端末と、表示部と撮像装置が備えられた腕時計型ユニットとが分離別体に構成された携帯電話型の通信装置が開示されている。
【０００７】
また特許文献２においては、通信装置本体とカメラユニットとを分離可能に設け、さらに通信装置本体に画像投影手段が設けられている携帯型テレビ電話が開示されている。
【０００８】
さらには特許文献３には、撮像素子を備えた表示モジュールが電話機本体から分離可能な携帯電話について記載されている。
【特許文献１】特開２００１−２０３９９７号公報（公開日：平成１３（２００１）年７月２７日）
【特許文献２】特開平９−３２７００７号公報（公開日:平成９（１９９７）年１２月１６日）
【特許文献３】特開２００３−２０９６０３号公報（公開日:平成１５（２００３）年７月２５日）
【発明の開示】
【発明が解決しようとする課題】
【０００９】
しかしながら、携帯型のテレビ電話機として特許文献１に記載された通信装置においては、表示部と撮像装置が一体となって時計型表示ユニットを構成しているため、使用者自身の画像データは使用者が表示画面を見ながら取得可能であるが、それ以外の画像データ（例えば風景や使用者以外の人物等）を使用者が表示画面を見ながら自由に取得することは困難であった。
【００１０】
また特許文献２に記載された携帯型テレビ電話においては、カメラユニットを分離可能としているため、カメラユニットのアングルを任意に変更でき、使用者の意志に基づき画像データを比較的自由に取得することが可能である。しかし、取得した画像データまたは通信相手の画像データを投影するためには、平坦な白色系のスクリーンが必要となる。またカメラユニットと装置本体との通信手段として赤外線等の光通信を用いているため、屋外での使用時に通信状態が悪くなるといった支障をきたす場合がある。
【００１１】
さらに特許文献３に記載された携帯電話は、表示モジュールが携帯電話機本体と分離可能であるためテレビ電話として使用は可能である。しかし、分離した表示モジュールを安定的に固定する場所、または安定的に固定する方法が必要である。また、特許文献１に記載されたテレビ電話機と同様、表示モジュールと撮像素子が一体となっているため、使用者自身以外の画像データを使用者が表示画面を見ながら自由に取得することは困難である。それゆえ上記従来公知の技術は、テレビ電話等の通信手段としては十分満足のいくものとはなっていなかった。
【００１２】
本発明は、上記の問題点に鑑みてなされたものであり、その目的は使用者が画像を見ながら容易に通話ができ、かつ使用者の好み・目的等に応じて自由な画像を取得し、当該画像を通信相手に送信することができるという自由度が高く、使い勝手のよい携帯型テレビ電話等の通信システムを提供することにある。
【課題を解決するための手段】
【００１３】
本発明者等は、上記課題を解決すべく鋭意検討を行った結果、画像データおよび音声データを送受信可能な通信システムにおいて、携帯型電話機，画像表示装置，撮像装置各々を分離別体とすることで、使用者の好み・目的等に応じて自由な画像を取得し、当該画像を通信相手に送信することができる可搬型のテレビ電話を実現できることを発見し、本発明を完成させるに至った。
【００１４】
すなわち本発明にかかる通信システムは、通信ネットワークを介して外部の通信装置に対して画像データおよび音声データを送受信可能な通信システムにおいて、前記外部の通信装置との間でデータ通信を行なう携帯型電話機と、撮影によって画像データを取得する撮像装置と、画像データの表示を行なう画像表示装置とを備え、前記携帯型電話機、前記撮像装置、および前記画像表示装置が各々分離別体として構成され、前記画像表示装置が
使用者の身体の一部に装着するための装着手段を有しており、前記撮像装置を用いて取得した画像データが、前記携帯型電話機を介して前記外部の通信装置に送信されるように、前記携帯型電話機、前記撮像装置、および前記画像表示装置とが互いに通信接続されていることを特徴している。
【００１５】
上記構成によれば、画像表示装置と撮像装置が各々分離別体として構成されている（すなわち独立している）ため、使用者は画像表示装置に表示されている通信相手側からの画像を最適なアングルから見ることができるとともに、独立した撮像装置を自在に操ることにより、好み・目的に応じた画像データを取得することが可能となる。また通話に関しても、いわゆるハンズフリー機能やイヤホン等を使用することなく、通常の通話スタイル、すなわち電話機の受話部を耳に当て、送話部を口に当てて通話するスタイルで通話が可能となる。
【００１６】
さらには、画像表示部が身体の一部に装着するための装着手段を有していることより、画面表示装置を設置する場所を改めて確保する必要がなく、また日常的に身体に装着しているため、通信相手からの突然の着信に対して即座に対処することが可能となる。上記装着手段として例えば、画像表示装置を腕時計のごとく身体に装着するリストバンドや、ペンダントのように首から下げるように装着するチェーン等が挙げられる。
【００１７】
また、前記撮像装置を用いて取得した画像データが前記携帯型電話機を介して通信相手に送信されるように通信接続されているため、使用者が取得した画像データを通信相手に送信することができる。それゆえ、自由度が高く、使い勝手のよい携帯型テレビ電話等の通信システムを提供することができるという効果を奏する。
【００１８】
また本発明にかかる通信システムは、上記装着手段が、腕に装着可能な手段であることを特徴としている。
【００１９】
上記構成によれば、電話による通話をしながら腕時計を見るようなスタイルで携帯型テレビ電話等の通信を行なうことが可能となる。また脱着が容易であるとともに、日常の行動に支障をきたさない。
【００２０】
さらに、本発明にかかる通信システムは、上記携帯型電話機を介して外部の通信装置より取得した画像データが、上記画像表示装置上に表示されるように、前記携帯型電話機、前記撮像装置、および前記画像表示装置とが通信接続されていることを特徴としている。
【００２１】
上記構成によれば、通信相手からの画像データ等を上記画像表示装置上に表示することが可能となる。それゆえ、携帯型テレビ電話等の通信システムを提供することができるという効果を奏する。
【００２２】
さらに、本発明にかかる通信システムは、上記撮像装置を用いて取得した画像データが、上記画像表示装置上に表示されるように、前記携帯型電話機、前記撮像装置、および前記画像表示装置とが通信接続されていることを特徴としている。
【００２３】
上記構成によれば、使用者が取得した画像データを確認することができ、通常のデジタルカメラのように写真の構図を確認した後にシャッターを切るといった使用態様が可能となる。また通信相手に取得した画像データを送信すべきかどうかを事前に判断することができる。
【００２４】
また本発明にかかる通信システムは、上記構成に加えさらに、上記画像表示装置に対して、複数の表示モードの中から少なくとも１つの表示モードで表示するように制御を行な
う表示モード切替制御部をさらに備えることを特徴としている。
【００２５】
上記構成によれば、例えば使用者側の画像データ・通信相手側の画像データ・ネットワークプロバイダから配信される各種情報・テレビ放送等の各種画像データを適宜選択して画像表示装置上に表示することができるといえる。
【００２６】
また、本発明にかかる通信システムは、上記表示モードが、携帯型電話機を介して外部の通信装置より取得した画像データである外部画像データを表示する外部画像データ表示モード、および上記撮像装置を用いて取得した画像データであるカメラ画像データを表示するカメラ画像データ表示モードであることを特徴としている。
【００２７】
上記外部画像データ表示モードにすることで、通信相手からの画像データを確認しながら通話が可能となり可搬型テレビ電話とすることができる。また上記カメラ画像表示モードとすることで、使用者は自身が取得した画像データを確認することができる。
【００２８】
また本発明にかかる通信システムは、さらに、上記外部画像データおよび上記カメラ画像データを同時に表示する２画面表示モードを有することを特徴としている。
【００２９】
上記構成とすることで、使用者は通信相手自身側の画像データと自身が取得した画像データとを同時に確認しながら、通信することができる。それゆえ、通信相手に送信する画像データを確認することができ、誤ったデータ送信を未然に防止することが可能となる。
【００３０】
また本発明にかかる通信システムは、上記画像表示装置における表示画面が、当該画像表示装置の表示部の表示面に対して平行な方向に回転可能であることを特徴としている。
【００３１】
上記構成とすることで、使用者が当該画像表示装置を見る方向に応じて最適な画像表示方向を選択することができる。
【００３２】
また本発明にかかる通信システムは、上記撮像装置が、切り替え可能な複数の撮影モードを有することを特徴としている。
【００３３】
さらには本発明にかかる通信システムは、上記撮影モードが、通常撮影モード、および接写モードとであることを特徴としている。
【００３４】
上記撮像装置が、例えば遠景被写体を撮影することが可能な通常撮影モードと、近接被写体を撮影することが可能であることで、使用者の目的・好みに応じた画像データを取得することが可能となる。
【００３５】
また本発明にかかる通信システムは、上記撮像装置が発光部を有することを特徴としている。
【００３６】
上記構成とすることで、夜間撮影・逆光状態における撮影が可能となる。
【００３７】
また本発明にかかる通信システムは、さらに上記撮像装置が、撮像環境の照度を測定する照度検知部、および発光部の照度を制御する照度制御部を有することを特徴としている。
【００３８】
上記構成とすることで、撮影場所の照度に応じて発光部の発光量を自動的に調整することが可能となり、使用者は最適な照度条件にて画像データの取得（撮影）を行なうことが可能となる。また不必要な発光を抑制することができ、電力の浪費を抑えることが可能と
なる。
【００３９】
また本発明にかかる通信システムは、上記発光部が、切り替え可能な複数の発光モードを有することを特徴としている。
【００４０】
さらに本発明にかかる通信システムは、上記発光モードが、発光部を常時発光することができる常時発光モード、および撮影時の照度に応じて発光部が自動的に発光する自動発光モードであることを特徴としている。
【００４１】
上記常時発光モードとすることで撮像装置に備えられた発光部を懐中電灯のごとき照明器具として使用することができる。また上記自動発光モードによれば、使用者は撮影時の照度に応じて発光部の点灯／消灯を切り替える必要がなく、より容易に画像データを取得することが可能となる。一方上記切り替え可能な発光モードとしては、撮影モードが接写モード時になった時に連動して常時発光するという接写発光モードとしてもよい。上記接写発光モードによれば、撮像装置による発光がより効果的な接写において自動的に発光部が発光するため、使用者は発光部について特に操作をすることなく十分な照度条件下で接写を行なうことが可能となる。
【００４２】
一方、本発明にかかる携帯型電話機は、上記いずれかの通信システムが備えるものである。当該携帯型電話機によれば、外部の通信装置との間でデータ通信を行なうことができる。
【００４３】
また、本発明にかかる画像表示装置は、上記いずれかの通信システムが備えるものである。当該画像表示装置によれば、携帯型電話機を介して外部の通信装置より取得した画像データである外部画像データ、および上記撮像装置を用いて取得した画像データであるカメラ画像データ等の画像データを表示することができる。
【００４４】
また本発明にかかる撮像装置は、上記いずれかの通信システムが備えるものである。当該撮像装置によれば、使用者自身の画像や風景等の画像データを撮影によって取得することができる。
【発明の効果】
【００４５】
本発明にかかる通信システムによれば、その目的は使用者が画像を見ながら容易に通話ができ、かつ使用者の好み・目的等に応じて自由な画像を取得し、当該画像を通信相手に送信することができるという自由度が高く、使い勝手のよい携帯型テレビ電話等の通信システムを提供することができるという効果を奏する。
【発明を実施するための最良の形態】
【００４６】
本発明の実施の形態について説明すれば、以下のとおりである。なお、本発明はこれに限定されるものではない。
【００４７】
本発明にかかる通信システムは、画像データおよび音声データを送受信可能な通信システムにおいて、（Ｉ）外部とのデータ通信手段である携帯型電話機と、（ＩＩ）画像データの取得手段である撮像装置と、（ＩＩＩ）取得した画像データの表示手段である画像表示装置とが各々分離別体として構成されている。
【００４８】
（Ｉ）携帯型電話機
本発明にかかる通信システムを構成する携帯型電話機（以下、本発明の携帯型電話機と称する）は、外部とのデータ通信手段である。上記データ通信は、本発明にかかる通信システムの使用者（以下、単に使用者と称する）の音声データおよび画像データを基地局に
無線送信すること、および基地局から無線送信されてくる通信相手側の音声データおよび画像データを受信することにより達成される。
【００４９】
図１（ａ）に本発明の携帯型電話機１００（一例）についてのブロック図を示す。同図に示すように、携帯型電話機１００は、アンテナ１０１、無線部１０２、制御部１３０、音声処理部１０６、スピーカー１０７、マイク１０８、電話機表示部１０９、警告処理部１１２、ブザー１１３、バイブレーター１１４、時計部１１５、第１送受信部１１０、および記憶部１１１を備えた構成となっている。また、制御部１３０は、機能ブロックとして、通話処理部１０３、データ通信処理部１０４、および画像表示装置側通信処理部１０５を備えている。
【００５０】
アンテナ１０１は、使用者側の音声データおよび画像データが含まれる無線電波を基地局に対して発信（送信）するとともに、基地局から発信（送信）される通信相手の音声データおよび画像データを含む無線電波を受信するための手段である。無線部１０２は、アンテナ１０１で送受信される無線電波に対して、エンコード／デコード処理などの信号処理を行なう手段である。制御部１３０内の通話処理部１０３は、電話機能、すなわち通話に関する処理を行なう手段である。換言すれば、通話処理部１０３は、基地局とのデータ通信のうち、音声データのみの処理を行なう手段であり、基地局から受信した音声データを音声処理部１０６に送ったり、音声処理部１０６から受けた音声データを無線部１０２に送る処理を行なう。音声処理部１０６は、通話処理部１０３から送られてきた音声データをＤ／Ａ(Digital/Analog)変換し、アナログの音声信号をスピーカー１０７に供給する。スピーカー１０７は、音声信号を音声に変えて出力する。一方、マイク１０８は、人の音声などを電気信号に変え、音声処理部１０６に供給する。なお音声処理部１０６は、マイク１０８から供給されたアナログの音声信号をＡ／Ｄ変換し、デジタルの音声データとして通信処理部１０３に送る。
【００５１】
また、制御部１３０内のデータ通信処理部１０４は、基地局とのデータ通信のうち、画像データの処理、インターネット情報、電子メール通信等、通話以外のデータ処理を行なう手段である。かかるデータ通信処理部１０４は、基地局からの画像データ、インターネット情報、電子メール等のデータを電話機表示部１０９に表示させるべく上記データを送ったり、画像表示装置側通信処理部１０５へデータを送信したりする手段である。なお前記電話機表示部１０９の表示形式は特に限定されるものではなく、液晶表示（ＬＣＤ）であっても、有機ＥＬであってもよい。前記電話機表示部１０９の具体例としては、３２０×３２０画素のＬＣＤ等が好適に用いられる。
【００５２】
また画像表示装置側通信処理部１０５は、基地局からの画像データ、例えば通信相手の顔・上半身等のデータを画像表示装置２００へ送るための処理を行ない、第１送受信部１１０へデータを送る。かかる第１送受信部１１０は、画像表示装置２００が備える第２送受信部２０１（詳細は後述する）と通信接続されており、上記基地局からの画像データが画像表示装置２００へと送られる。また逆に、画像表示装置２００から送られて来る画像データを受け取る役割も果す。
【００５３】
なお第１送受信部１１０と第２送受信部２０１との通信接続の方法は、特に限定されるものではなく、例えばBluetooth回路または光通信を利用した無線通信接続であっても、
ＵＳＢケーブル等の通信ケーブルを用いた有線通信接続であってもよい。ただしテレビ電話機能を使用せずに通常の電話機として利用する場合、携帯型電話機１００と画像表示装置２００が有線で通信接続されていると、通信ケーブルが邪魔になって取り扱いの自由度・利便性を低下させることがある。したがって、第１送受信部１１０と第２送受信部２０１との通信接続の方法は、無線による通信接続がより好ましいといえる。
【００５４】
なお無線による通信接続を採用する場合には、第１送受信部１１０および第２送受信部２０１には、高周波回路である無線部およびアンテナがそれぞれ備えられることとなる。なおアンテナは内蔵タイプであってもよい。一方、有線による通信接続を採用する場合、例えばＵＳＢケーブルを用いて通信接続する場合は、第１送受信部１１０および第２送受信部２０１には、ＵＳＢケーブル用のインターフェース部が備えられることとなる。
【００５５】
記憶部１１１は、前記で示した携帯型電話機１００−画像表示装置２００間でやり取りがなされる画像データ・通信情報を記憶する手段である。この他インターネットから取得した情報、電子メールのデータ、電話番号、電子メールのアドレス等種々の情報を記憶する。また制御部１３０は、携帯型電話機の機能全般を総合的に制御する。
【００５６】
また、携帯型電話機１００には、警告処理部１１２が備えられており、電話の着信時、電子メールの受信時、設定したアラーム時間到達時等の場合に、ブザー１１３を鳴らしたり、バイブレーター１１４を振動させる。また時計部１１５は、電話機表示部１０９に、月日、時間を表示するための、カレンダー機能および時計機能を有する。なお本発明の携帯型電話機には、上記構成に限られず、公知の携帯型電話機が有する機能が付加されていてもよい。
【００５７】
（ＩＩ）撮像装置
本発明にかかる通信システムを構成する撮像装置（以下、本発明の撮像装置と称する）は、画像データの取得手段である。かかる画像データとしては、本発明にかかる通信システムをテレビ電話として使用する場合の使用者の画像（使用者の顔または上半身）や、使用者が好み・目的に応じて撮影する風景・建物・使用者以外人物等の画像等が挙げられる。
【００５８】
図１（ｃ）に本発明の撮像装置３００（一例）についてのブロック図を示す。同図に示すように、撮像装置３００は、第４送受信部３０１、制御部３１０、イメージセンサ３２１、レンズ動作部３２３、撮影モード切替スイッチ３２４、照度検知部３２５、発光部３２６、表示モード切替スイッチ３２７、および電源部３２８を備えた構成となっている。さらに、制御部３１０は、通信処理部３１１、画像処理部３１２、レンズ制御部３１３、照度制御部３１４、表示モード切替信号生成部３１５、および電源制御部３１６とから構成されている。
【００５９】
第４送受信部３０１は、画像表示装置２００とのデータをやり取りするための手段であり、画像表示装置２００における第３送受信部２４０（詳細は後述する）と通信接続されている。なお第４送受信部３０１と第３送受信部２４０との通信接続の方法は、特に限定されるものではなく、例えばBluetooth回路または光通信を利用した無線通信接続であっ
ても、ＵＳＢケーブル等の通信ケーブルを用いた有線通信接続であってもよい。なお無線による通信接続を採用する場合には、第４送受信部３０１および第３送受信部２４０には、高周波回路である無線部およびアンテナ（内蔵型アンテナを含む）がそれぞれ備えられることとなる。一方、有線による通信接続を採用する場合、例えばＵＳＢケーブルを用いて通信接続する場合は、第４送受信部３０１および第３送受信部２４０には、ＵＳＢケーブル用のインターフェース部が備えられることとなる。
【００６０】
イメージセンサ３２１は、ＣＣＤ等の撮像素子であり、画像イメージを電気信号に変換する。上記イメージセンサ３２１としては、例えば、３２０×３２０画素のＣＣＤが挙げられる。イメージセンサ３２１で取得した画像データは、制御部３１０中の画像処理部３１２に送られ画像表示装置２００で表示されるため、あるいは電話機表示部１０９等で表示されるための処理が行なわれる。画像処理部３１２で処理された画像データは、通信処理部３１１を経由して記憶部３２２に送られ、そこで記憶される。通信処理部は、必要に
応じて記憶部３２２から画像データを読み出し、第４送受信部３０１へと画像デーを送る。第４送受信部３０１へ送られた画像データは、そこから第３送受信部２４０へと送られることとなる。例えば、イメージセンサ３２１から１秒間に１０コマの割合で画像データを制御部３１０に送っているとすると、それと同じ割合で画像表示装置２００へ画像データを送っていることとなる。なお記憶部３２２は、画像表示装置２００とのやり取りする通知情報をも記憶する。
【００６１】
また撮影モード切替スイッチ３２４は、撮像装置３００が働く場合において、例えば遠景物体を被写体とする「通常撮影モード」または、近接物体を被写体とする「接写モード」を切り替えるスイッチである。かかる撮影モード切替スイッチ３２４を操作すると、制御部３１０中のレンズ制御部３１３に電気信号が送られる。次にレンズ制御部３１３から、レンズ動作部３２３に電気信号（命令）が送られ、レンズがその命令に応じて可動する。その結果、使用者が希望する撮影モードで画像データを取得することができる。なお撮影モード切替スイッチ３２４のスイッチの形式は特に限定されるものではなく、スライド式スイッチであっても、プッシュ式スイッチであってもよい。また上記撮影モードには、この他、通常撮影モードよりさらに遠景物体を撮影することができる「望遠撮影モード」が含まれていてもよい。なお上記「通常撮影モード」と「接写モード」との切り替え動作については後述する。
【００６２】
また本発明の撮像装置３００には、撮像環境の照度を測定する照度検知部３２５が備えられている。当該照度検知部３２５によって測定された照度データは、照度制御部３１４に送られ、その照度の高低に応じて発光部３２６のオン／オフ、または発光量の調整が行なわれる。ここで発光部３２６は、本発明の撮像装置３００が稼動する時のフラッシュ／撮影ライトとしての機能を果す。また、常時点灯させることによって懐中電灯としても利用が可能となる。またかかる発光部３２６は、特に限定されるものではなく、ＬＥＤや電球等を用いればよい。ただし消費電力の少なさ、耐久性、小型化が容易等の理由からＬＥＤがより好ましいといえる。なお、照度検知部３２５および照度制御部発光部３２６を用いた発光部３２６の発光制御については、後述する。
【００６３】
また本発明の撮像装置３００には、表示モード切替スイッチ３２７が備えられている。当該表示モード切替スイッチ３２７は、画像表示装置２００上に、本発明の携帯型電話機１００を介して外部より取得した画像データ（外部画像データ）を表示する「外部画像データ表示モード」、あるいは画像表示装置２００上に、上記撮像装置３００を用いて取得した画像データ（カメラ画像データ）を表示する「カメラ画像データ表示モード」等の表示モードを切り替えるためのスイッチである。
【００６４】
使用者が、表示モード切替スイッチ３２７を用いて所望の表示モードを選択すると、表示モード切替スイッチ３２７から表示モード切替信号生成部３１５へ電気信号が送られる。表示モード切替信号生成部３１５では、画像表示装置２００の表示を切り替えるための信号が生成され、かかる信号が通信処理部３１１へと送られる。その後第４送受信部３０１を通じて画像表示装置２００へと信号が送られ、その信号に従って表示モードが切り替わる。使用者は、必要に応じて画像表示装置上に表示する画像を自分が撮影している画像（カメラ画像データ）か、または通信相手からの画像（外部画像データ）を選択することができ、本発明にかかる通信システムをテレビ電話として使用している際に、自分が相手に送信するデータを確認することができるため、誤ったデータを送信することを防ぐことができる。
【００６５】
また、上記表示モードが外部画像データおよび上記カメラ画像データを同時に表示する「２画面表示モード」であることが好ましい。使用者は、通信相手の顔等の外部画像データを見ながら、自分が撮影し通信相手に送信しようとしているカメラ画像データを確認で
きるため、切り替え操作を必要としない。よって、さらに利便性に優れた通信装置とすることができる。なお表示モード切替スイッチ３２７のスイッチ形式は特に限定されるものではなく、スライド式スイッチであっても、プッシュ式スイッチであってもよい。また本実施形態の本発明にかかる通信システムにおいては、当該表示モード切替スイッチ３２７は撮像装置３００に備えられているが、当該表示モード切替スイッチ３２７の設置場所は特に限定されるものではなく、画像表示装置２００上にあっても、携帯型電話機１００上のいずれにあってもよい。
【００６６】
さらに本発明の撮像装置３００には、電源部３２８が備えられている。かかる電源部３２８は、イメージセンサ３２１・レンズ動作部３２３・撮影モード切替スイッチ３２４・照度検知部３２５・発光部３２６・表示モード切替スイッチ３２７へ電源；ＶＤＤ（約３volt）を供給する手段である。電源制御部３１６への電源ＯＮ（オン）／ＯＦＦ（オフ）情報、表示モード切替スイッチと連動した表示モード、およびイメージセンサ３２１で撮影された画像は、記憶部３２２で記憶される。撮像装置３００が最初に電源がＯＮ（オン）された時は、この記憶部３２２の電源ＯＮ（オン）／ＯＦＦ（オフ）情報はＯＦＦ（オフ）状態、シャッターは０、発光モードは常時消灯、および表示モードはカメラ画像データ表示モードにセットされる（このことについては表１を用いて後に説明する）。
【００６７】
図４は、本発明の撮像装置３００（一例）の外観図である。撮像装置３００には、遠景物体を撮影する「通常撮影モード」と、近接物体を撮影する「接写モード」とを切り替えるスライド式の撮影モード切替スイッチ３２４が備えられている。Ｂ方向にスライドした時は「通常撮影モード」、Ａ方向にスライドした時は「接写モード」となる。また３２７は、表示モード切替スイッチであり、普通のプッシュタイプスイッチである。また４０４は、ＵＳＢケーブルであり、画像表示装置２００と有線による通信接続がなされる。
【００６８】
上記撮影モード切替スイッチ３２４の動作について、図６および図７の光学系を用いて説明する。図６は、上記撮影モード切替スイッチ３２４をＢ方向にスライドした「通常撮影モード」時の光学系を示している。また図７は、上記撮影モード切替スイッチ３２４をＡ方向にスライドした「接写モード」時の光学系を示している。図６および７中、６０１・７０１は被写体、６０２・７０２は保護用ガラス、６０３・７０３はレンズ、３２１はイメージセンサ、６０４・７０４はイメージセンサ３２１上に結像された被写体を示す。
【００６９】
レンズ６０３・７０３は、スライド式の撮影モード切替スイッチ３２４と機構的に連動して、この撮影モード切替スイッチ３２４がＢ方向にスライドした時は、図６で示される位置にレンズ６０３は移動する。一方、撮影モード切替スイッチ３２４がＡ方向にスライドした時は、図７で示される位置にレンズ７０３は移動する。つまり、撮影モード切替スイッチ３２４がＡ方向に移動した時は、Ｂ方向にスライドしている時よりも、近接した被写体を大きく拡大して撮影することができる。
【００７０】
次に本発明の撮像装置３００（一例）の正面図を図５に示す。５０１はイメージセンサを保護するための保護ガラスを示す。３２６は、発光部であり、７個の白色ＬＥＤである。３２５は、照度検知部であり、受光素子（フォトダイオード）である。３２４はスライド式の撮影モード切替スイッチである。
【００７１】
図９に発光部３２６のドライブ回路を示す。照度制御部３１４の制御回路より制御される信号；ＬＥＤＯＦＦがＬｏｗ（０）の時にＰＮＰトランジスター９０１はＯＮ（オン）し、３２６の計７個の白色ＬＥＤは一斉にＯＮ（オン）する。ＬＥＤＯＦＦがＨｉｇｈ（１）の時は、３２６の７個の白色ＬＥＤはＯＦＦ（オフ）する。なお、９０９はプルアップ用の抵抗、９１０から９１７は電流制限用の抵抗である。
【００７２】
次に照度検知部３２５の回路を図８に示す。フォトダイオード８０１は、撮像環境の明るさ（照度）に比例した電流を抵抗８０２に流す。この抵抗８０２の値は、例えば、撮像環境が暗くて５０ルックスの時は、照度信号;ＶＬの電圧は５ｍＶを示すように調整され
ている。また撮像環境が明るく１万ルックスの時は、照度信号；ＶＬは１０００ｍｖを示すように調整されている。図１（ｃ）で示す照度制御部３１４の制御回路は、この照度信号；ＶＬの電圧レベルを判定し、撮像環境の照度が明るいか、または暗いかを決定する。例えば、その境界値を１０ｍｖに設定すると、照度制御部３１４は、ＶＬが１０ｍＶ（１００ルックス）以上の時は「明るい」と決定し、ＶＬが１０ｍｖ（１００ルックス）未満の時は「暗い」と決定する。
【００７３】
図１０に、図１（ｃ）における電源制御部３１６の回路を示す。電源制御部３１６が受ける電源制御信号；ＰＯＦＦがＬｏｗ（０）の時、ＰＮＰトランジスター１００１がＯＮ（オン）し、イメージセンサ３２１、照度検知部３２５、発光部３２６、撮影モード切替スイッチ３２４、表示モード切替スイッチ３２７に、電源となるＶＤＤ（約３volt）が電源部３２８を通じて供給される。一方、電源制御信号；ＰＯＦＦがＨｉｇｈ（１）の時は、ＰＮＰトランジスター１００１はＯＦＦ（オフ）し、電源となるＶＤＤ（約３volt）は供給されない。なお、図１０中１００２はプルアップの抵抗、１００３は電流制限用の抵抗を示す。
【００７４】
（ＩＩＩ）画像表示装置
本発明にかかる通信システムを構成する画像表示装置（以下、本発明の画像表示装置と称する）は、取得した画像データの表示手段である。
【００７５】
図１（ｂ）に本発明の画像表示装置２００（一例）についてのブロック図を示す。同図に示すように、画像表示装置２００は、第２送受信部２０１、記憶部２２０、制御部２１０、表示部２３０、および第３送受信部２４０から構成されている。また制御部２１０は、電話機側通信処理部２１１、表示モード切替制御部２１２、およびカメラ側通信処理部２１３とから構成されている。さらに記憶部２２０は、第１記憶部２２１と第２記憶部２２２とから構成されている。
【００７６】
第２送受信部２０１は、携帯型電話機１００とのデータ送受信を行なうための手段であり、携帯型電話機１００における第１送受信部１１０と通信接続されている。また第３送受信部２４０は、撮像装置３００とのデータ送受信を行なうための手段であり、撮像装置３００における第４送受信部３０１と通信接続されている。なお通信接続の方法については、上述のとおりである。
【００７７】
第２送受信部２０１で受信した外部画像データは、電話機側通信処理部２１１で処理された後に記憶部２２０内の第１記憶部２２１に記憶される。一方、第３送受信部２４０で受信したカメラ画像データは、カメラ側通信処理部２１３で処理された後に記憶部２２０内の第２記憶部２２２に記憶される。記憶部２２０内に記憶された各画像データ（外部画像データおよびカメラ画像データ）は、表示モード切替制御部２１２によって適宜選択され表示部２３０上に画像として表示される。なお表示モード切替制御部２１２は、撮像装置３００に備わる表示モード切替スイッチ３２７・表示モード切替信号生成部３１５からの電気信号によって動作する。なお上記電気信号は、表示モード切替スイッチ３２７→表示モード切替信号生成部３１５→通信処理部３１１→第４送受信部３０１→第３送受信部２４０→カメラ側通信処理部２１３を経由して表示モード切替制御部２１２へと伝わる。
【００７８】
また、第２記憶部２２２に記憶されたカメラ画像データは、電話機側通信処理部２１１によって読み込まれ、第２送受信部２０１から携帯型電話機１００へと送信され、さらに携帯型電話１００から基地局を経由して通信相手に送信される。
【００７９】
また本発明にかかる通信システムは、上記画像表示装置２００における表示画面が、当該画像表示装置２００の表示部２３０の表示面に対して平行な方向に回転可能であることが好ましい。かかる構成とすることで、使用者が当該画像表示装置２００を見る方向に応じて最適な画像表示方向を選択することができる。回転の方向は、表示面に対して平行な方向であればよく、時計回りであっても、反時計回りであってもよい。また回転の角度についても使用者が見やすい方向とすることができれば特に限定されるものではない。例えば、半時計回りに９０°回転するのみであってもよいし、さらに１８０°、２７０°と順次回転することとしてもよい。また０°〜３６０°の任意の回転角度を指定できるという態様にしてもよい。かかる画像表示装置２００における画像の回転についての具体的態様は、後述する。
【００８０】
上記画像表示装置２００における画像の回転については、例えば、画像表示装置２００上の画像回転スイッチ（図示せず）の操作によって、表示モード切替制御部２１２の制御により実現することができる。また携帯型電話機１００において、画像回転指示入力が使用者によって行われ、この画像回転指示信号が、第２送受信部２０１を介して表示モード切替制御部２１２に伝わる態様としてもよいし、撮像装置３００上の画像回転スイッチ（図示せず）の操作を受け、第３送受信部２４０を介してその通知情報が表示モード切替制御部２１２に伝わる態様としてもよい。
【００８１】
ここで、前記表示部２３０の表示形式は特に限定されるものではなく、液晶表示（ＬＣＤ）であっても、有機ＥＬであってもよい。前記電話機表示部１０９の具体例としては、３２０×３２０画素のＬＣＤ等が好適に用いられる。また，記憶部２２０は、画像データ以外の携帯型電話機１００とのデータのやり取り、および撮像装置３００とのデータのやり取りをも記憶することができる。
【００８２】
本発明の画像表示装置２００は、使用者の身体の一部に装着するための手段を有している。本発明の画像表示装置２００を設置する場所を別途設ける必要がないからである。また日常的に身体に装着しているため、通信相手からの突然の着信に対して即座に対処することが可能となる。当該本発明の画像表示装置２００を装着する箇所、装着の方法は特に限定されるものではなく、使用者が本発明の画像表示装置２００の表示面を容易に確認できる箇所・方法であればよい。例えば、後述する図３において示すように本発明の画像表示装置２００を身体に装着する手段としてリストバンド２５０が備えられており、腕時計のように使用者の腕（手首）に装着する態様が挙げられる。換言すれば、本発明の画像表示装置２００を腕時計式画像表示装置とする態様が考えられる。かかる腕時計式画像表示装置とする場合、装着する腕は、右腕でも左腕でもよい。ただし、左手にいわゆる「通常の腕時計」をしている場合には、右腕に装着することが好ましい。しかし、本発明の画像表示装置２００の表示部に時計表示を行なう態様とすれば、当該画像表示装置２００が腕時計であり、いわゆる「通常の腕時計」を改めて装着する必要がない。
【００８３】
この他、使用者の身体の一部に装着するための手段としては、ネックレスやペンダントのように首から下げるように装着するチェーン等が挙げられる
（ＩＶ）携帯型電話機−画像表示装置−撮像装置間の指示伝達
表１は本発明の携帯型電話機１００−本発明の画像表示装置２００間の指示伝達を行なう際の通知情報の内容（一例）を示す。
【００８４】
【表１】
2005341165.tif 000003
【００８５】
かかる通知情報は、６ビットで構成されている。この通知情報の伝達様式を、図１（ａ）、（ｂ）、（ｃ）を用いて説明する。通知情報は、携帯型電話機１００から画像表示装置２００へ、第１送受信部１１０、第２送受信部２０１を介して通知される。これらの通知情報は、各々画像表示装置側通信部１０５、電話機側通信処理部２１１により、記憶部１１１、記憶部２２０に記憶される。さらにこの通知情報は、カメラ側通信処理部２１３が記憶部２２０より読み出し、第３送受信部２４０、第４送受信部３０１を介して、撮像装置３００へ通知される。第４送受信部３０１を介して通知された通知情報は、通信処理部３１１により記憶部３２２に記憶される。
【００８６】
次に６ビットの通知情報について説明する。ビット１のビット名は電源であり、これが１であれば、電源制御部３１６はＰＯＦＦ信号をＬｏｗ（０）として、イメージセンサ３２１・レンズ動作部３２３・撮影モード切替スイッチ３２４・照度検知部３２５・発光部３２６・表示モード切替スイッチ３２７へ、電源であるＶＤＤを、電源部３２８から供給する。逆にビット１が０であれば、ＶＤＤの供給がストップする。
【００８７】
次にビット２のビット名はシャッターであり、これが１になれば、制御部２１０は第３送受信部２４０を介して、制御部３１０に通知し撮像装置３００から画像データの取り込みをストップさせ、ストップの直前に取り込んだ画像データを表示部２３０に表示すると共に、その画像データを第２送受信部２０１、第１送受信部１１０を介して携帯型電話機１００へ送る。
【００８８】
ビット３のビット名は発光モード１、ビット４のビット名は発光モード２である。発光モード１および発光モード２の信号の組み合わせと、指示内容との対応を表２に示す。
【００８９】
【表２】
2005341165.tif 000004
【００９０】
表２に示すように、通知情報の発光モード１および発光モード２が共に０の時、照度制御部３１４は、ＬＥＤＯＦＦをＨｉｇｈ（１）にして、図９に示したＰＮＰトランジスター９０１をオフにする。すなわち発光部３２６は、常時消灯している。
【００９１】
また発光モード１が１、発光モード２が０の時、照度制御部３１４は、ＬＥＤＯＦＦをＬｏｗ（０）にして、ＰＮＰトランジスター９０１をオンにする。すなわち発光部３２６は、常時点灯する（常時発光モード；懐中電灯モード）。
【００９２】
また発光モード１が０、発光モード２が１の時、照度制御部３１４は、照度検知部３２５の照度信号：ＶＬが１０ｍｖ（１００ルックス）以上の場合ＬＥＤＯＦＦをＨｉｇｈ（１）にして、ＰＮＰトランジスター９０１をオフにする。この時、発光部３２６は消灯している。一方ＶＬが１０ｍｖ（１００ルックス）未満の場合、ＬＥＤＯＦＦをＬｏｗ（０）にして、ＰＮＰトランジスター９０１をオンにする。この時、発光部３２６は点灯している。すなわちこの場合は、撮像環境の照度に応じて点灯／消灯を行なう「自動発光モード」である。
【００９３】
なお、この発光モード１、発光モード２で種々の発光モードを選択できる構成とすることで、消費電力の削減を行なうことができるとともに、使用者の目的・好みに応じた発光モードを選択することができるようにするためである。
【００９４】
ところで、ビット５のビット名は、表示方向である。なお、画像表示装置２００は、腕時計のごとく使用者の右手首部分（手のひら側に表示面がある）にリストバンド２５０で固定されているとして説明する。表示方向が１の時、表示モード切替制御部２１２は、カメラ画像データ、あるいは外部画像データを通常方向（時計のリストバンド２５０に対して平行な方向であって、親指側が上方向になる）に表示する（後述する図３（ａ）参照）。一方、表示方向が０の時は、時計のリストバンド２５０に対して垂直な方向であって、手のひら側が上方向になるように画像が表示される（後述する図３（ｃ）参照）。言い換えれば、通常方向より半時計回りに９０°表示面に対して平行な方向に回転した画像を表示する。
【００９５】
また、ビット６のビット名は、表示モード切替で、カメラ画像データ、もしくは外部画像データのいずれかを、画像表示装置２００の表示部２３０に表示するかの情報である。この表示モード切替が１の場合は、カメラ画像データを表示する（カメラ画像データ表示モード）、０の場合は、外部画像データを表示する（外部画像データ表示モード）。外部画像データ表示モードの場合は、携帯型電話機１００より１０枚／秒の速度で画像データが、画像表示装置２００へ送られる。ただし、この情報は、プッシュ型の表示モード切替スイッチ３２７が押される毎に、表示モード切替信号生成部３１５により反転（すなわち０⇔１が繰り返されること）され、記憶部３２２に記憶されるとともに、画像表示装置２００の表示が切り替わる。またその通知情報は、画像表示装置２００、携帯型電話機１００に逆通知され、記憶部２２０、記憶部１１１に記憶されている通知情報は、リフレッシュされる。
【００９６】
（Ｖ）本発明にかかる通信システムの使用方法
図２は本発明にかかる通信システムを使用して、二人がテレビ電話をしているシーン１を示している。お互いにペンの形態を模した撮像装置３００（以下、ペン型撮像装置３００）を自分に向け、お互いの顔を腕時計の形態を模した画像表示装置２００（以下、腕時計式画像表示装置２００）でお互いの顔を眺めながら携帯型電話機１００で通話している。
【００９７】
図３（ａ）は、左手で携帯型電話機１００を持ち、右手首に腕時計式画像表示装置２００を固定し、右手の指でペン型撮像装置３００を持ってテレビ電話をしているシーン２を示している。シーン２では、右手の肘を曲げて、手のひらを手前にして、ペン型撮像装置３００のレンズを自分の顔に向け、上記（ＩＶ）の項で説示した通常方向に画像を表示している。
【００９８】
図３（ｂ）は、ペン型撮像装置３００のレンズ部を風景側に向けており、その他の画像表示装置２００の固定方法、画像の表示方向は図３（ａ）と同様である（シーン３）。腕時計式画像表示装置２００には風景が表示されている。
【００９９】
図３（ｃ）は、図２（ａ）に比して右手の肘をやや伸ばし、ペン型撮像装置３００のレンズを自分の顔に向けている（シーン４）。この場合は、腕時計式画像表示装置２００の表示方向は通常方向より、半時計回りに９０°表示面に対して平行な方向に回転した画像を表示するほうが、見やすい。
【０１００】
図３（ｄ）は、右手の手の甲を手前にして、ペン型撮像装置３００のレンズを自分の顔に向けている場合である（シーン５）。
【０１０１】
本発明にかかる通信システムは、上記のように使用者の好みの目的・好みに応じたスタイルで使用が可能である。
【０１０２】
なお上記実施の形態の説明においては、携帯型電話機１００が画像表示装置２００と通信接続され、さらに画像表示装置２００と撮像装置３００が通信接続されている態様について説明したが、本発明にかかる通信システムはこれに限定されるものではなく、携帯電話機１００と撮像装置３００が通信接続されており、さらに撮像装置３００と画像表示装置２００とが通信接続されている態様であってもよい。また、携帯電話機１００と撮像装置３００が通信接続されており、さらに携帯型電話機１００と画像表示装置２００とが通信接続されている態様であってもよい。また携帯型電話機１００、および画像表示装置２００、および撮像装置３００が相互に通信接続されている態様であってもよい。
【０１０３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１０４】
本発明にかかる通信システムによれば、その目的は使用者が画像を見ながら容易に通話ができ、かつ使用者の好み・目的等に応じて自由な画像を取得し、当該画像を通信相手に送信することができるという自由度が高く、使い勝手のよい携帯型テレビ電話等の通信システムを提供することができるという効果を奏する。
【０１０５】
それゆえ本発明にかかる通信システムによれば、情報通信産業全般に好適に利用可能である。またあらゆる産業の現場においては、情報の伝達、コミュニケーションは特に重要である、それゆえ本発明にかかる通信システムは、種々広範な産業の発展に寄与するものである。
【図面の簡単な説明】
【０１０６】
【図１】（ａ）は本発明にかかる通信システムを構成する携帯型電話機のブロック図であり、（ｂ）は本発明にかかる通信システムを構成する画像表示装置のブロック図であり、（ｃ）は本発明にかかる通信システムを構成する撮像装置のブロック図である。
【図２】本発明にかかる通信システムの使用態様（シーン１）を説明する図である。
【図３】（ａ）〜（ｄ）は、本発明にかかる通信システムの種々の使用態様を説明する図であり、（ａ）はシーン２、（ｂ）はシーン３、（ｃ）はシーン４、（ｄ）はシーン５である。
【図４】本発明にかかる通信システムを構成する撮像装置の一例の側面図である。
【図５】本発明にかかる通信システムを構成する撮像装置の一例の正面図である。
【図６】本発明の一実施形態にかかる「通常撮影モード」を説明する図である。
【図７】本発明の一実施形態にかかる「接写モード」を説明する図である。
【図８】本発明の一実施形態にかかる照度検知部の回路図である。
【図９】本発明の一実施形態にかかる発光部の回路図である。
【図１０】本発明の一実施形態にかかる電源制御部の回路図である。
【図１１】図１１は、従来公知の携帯型テレビ電話を示す概略図である。
【符号の説明】
【０１０７】
１００    携帯型電話機
１０２    無線部
１０３    通話処理部
１０４    データ通信処理部
１０５    画像表示装置側通信処理部
１０６    音声処理部
１１０    第１送受信部
１１１    記憶部
１３０    制御部
２００    画像表示装置
２０１    第２送受信部
２１０    制御部
２１１    電話機側通信処理部
２１２    表示モード制御部
２１３    カメラ側通信処理部
２２０    記憶部
２２１    第１記憶部
２２２    第２記憶部
２４０    第３送受信部
２５０    リストバンド
３００    撮像装置
３０１    第４送受信部
３１０    制御部
３１１    通信処理部
３１２    画像処理部
３１３    レンズ制御部
３１４    照度制御部
３１５    表示モード切替信号生成部
３１６    電源制御部
３２１    イメージセンサ
３２２    記憶部
３２４    撮影モード切替スイッチ
３２５    照度検知部
３２６    発光部
３２７    表示モード切替スイッチ
【図１】
2005341165.tif 000005
【図２】
2005341165.tif 000006
【図３】
2005341165.tif 000007
【図４】
2005341165.tif 000008
【図５】
2005341165.tif 000009
【図６】
2005341165.tif 000010
【図７】
2005341165.tif 000011
【図８】
2005341165.tif 000012
【図９】
2005341165.tif 000013
【図１０】
2005341165.tif 000014
【図１１】
2005341165.tif 000015